(57)【要約】【課題】  商品陳列具が陳列スペースを確保し易く、また、一般需要者等に対して注目度を高めることができ、さらに、このような広告対象の商品の製造元・販売元・代理店等がその費用負担によって提供された画像表示装置を転用することを困難にしたり、盗難防止に役立てる商品陳列手段を提供する。【解決手段】  陳列対象商品を陳列する陳列手段と画像表示装置を備える商品陳列具であって、前記陳列対象商品に関連した表示を、前記陳列対象商品の陳列とともに表示することを特徴とする画像表示装置を備える商品陳列具を提供する。【選択図】図１
2016144500.tif 000002
【特許請求の範囲】
【請求項１】
陳列対象商品を陳列する陳列手段と画像表示装置を備える商品陳列具であって、前記画像表示装置には前記陳列対象商品に関連した表示を、前記陳列対象商品の陳列とともに表示することを特徴とする画像表示装置を備える商品陳列具。
【請求項２】
陳列対象商品を陳列する陳列手段が、陳列対象商品の載置部を設けることであることを特徴とする請求項１記載の商品陳列具。
【請求項３】
陳列対象商品を陳列する陳列手段が、陳列対象商品の吊り下げ手段を設けることであることを特徴とする請求項１記載の商品陳列具。
【請求項４】
前記画像表示装置が、陳列対象商品を一部隠蔽するように陳列商品前面に設けてあることを特徴とする請求項１〜３何れかに記載の商品陳列具。
【請求項５】
前記画像表示装置の表示と、隠蔽していない陳列対象商品とが連続した画像を形成していることを特徴とする請求項４記載の商品陳列具。
【請求項６】
前記画像表示装置が、陳列対象商品の背景になる様に陳列商品背後に設けてあることを特徴とする請求項１〜３何れかに記載の商品陳列具。
【請求項７】
前記画像表示装置が陳列対象商品に関連した表示以外の表示に表示を変更する表示変更手段が商品陳列具内部に備わっていないことを特徴とする請求項１〜６何れかに記載の商品陳列具。
【請求項８】
前記画像表示装置が陳列対象商品に関連した表示以外の表示に表示を変更することを禁止する表示変更禁止手段が商品陳列具内部に備わっていることを特徴とする請求項１〜６何れかに記載の商品陳列具。
【発明の詳細な説明】
【技術分野】
【０００１】
本発明は、店頭等において商品等の陳列対象商品の広告表示等のサイネージを行なう商品陳列具に関する。
【背景技術】
【０００２】
一般に、店頭等において商品等の広告表示を行なう広告媒体としては、看板やフラッグ、新規な動作をする可動ディスプレイ等がアイキャッチディスプレイとして広く利用されている。
【０００３】
また最近では、例えばテレビ受像機を１台若しくは数台配列してテレビ画像により商品の印象付けや、広告、インフォメーション等を行なう例が増えている。
【０００４】
しかし、通常のテレビ画像による広告では、テレビ受像機を数台設置するための専用スペースが必要であり、また、看板、フラッグ等とテレビ受像機とを併用して広告効果を上げようとする場合は、それぞれ広告形態が異なるため、それら媒体の設定や配置等に手間や労力を要し、また総体的な広告形態が煩雑になる傾向があった。
【０００５】
そこで、看板による広告媒体と、テレビ受像機による広告媒体とをコンパクトにジョイントし、商品等の展示品の間近に設置することによって、より大きな広告効果を得ようとすることが考えられていた。
【０００６】
すなわち、静止画像用又はテレビ画像用の小型電子画像装置前面の画像表示パネルと対向する部位に窓孔部を孔設しかつ適宜広告表示を施した表示プレートを該装置前面側に設け、商品等を展示するための展示部に取付固定可能な取付固定用具をその装置背面側に設けたことを特徴とする広告表示体を提供する技術が開示されている（特許文献１）。
【先行技術文献】
【特許文献】
【０００７】
【特許文献１】特開平７−１３４５５５号公報
【発明の概要】
【発明が解決しようとする課題】
【０００８】
しかしながら、従来の広告表示体を提供する技術では、実際に陳列されている陳列対象商品との関係が明確でなく、関係のない商品等の棚で表示されることが少なくなかった。従って、広告表示体などの画像表示装置のよって需要者の注目を惹きつけても実際の広告対象商品を発見できず、また、関連性を認識できないために購買に結びつかないことによる販売機会を損失することが珍しくなかった。
【０００９】
また、このような従来の広告表示体等では、その広告表示体が設置されている棚などと関連性のない商品等が陳列等されることが珍しくなく、それによって需要者に対して十分な注目を惹きつけることが容易ではなかった。
【００１０】
さらに、このような広告表示体は販促のために用いられるものであるため、広告対象の商品の製造元・販売元・代理店等がその費用負担によって小売店等に提供される場合が多いが、そのような従来の広告表示体ではその陳列として実際に陳列する商品が広告対象とは異なった商品が展示される場合が少なくなく、それによって製造元・販売元・代理店等がその広告表示体の提供に負担した費用が回収できない場合もあった。
【００１１】
さらに、このような広告表示体は一般的な画像表示装置を用いる場合が少なくなく、この場合、盗難の対象となる場合もあった。
【００１２】
本発明は上記事情に鑑みてなされたものであり、このような商品陳列具が陳列スペースを確保し易く、また、一般需要者等に対して注目度を高めることができ、さらに、このような広告対象の商品の製造元・販売元・代理店等がその費用負担によって提供された画像表示装置を転用することを困難にしたり、盗難防止に役立てる商品陳列手段を提供することを目的とするものである。
【課題を解決するための手段】
【００１３】
本発明は、まず、陳列対象商品を陳列する陳列手段と画像表示装置を備える商品陳列具であって、前記画像表示装置には前記陳列対象商品に関連した表示を、前記陳列対象商品の陳列とともに表示することを特徴とする画像表示装置を備える商品陳列具を提供するものである。
【００１４】
また、陳列対象商品を陳列する陳列手段が、陳列対象商品の載置部を設けることであることを特徴とする上記商品陳列具を提供するものである。
【００１５】
また、陳列対象商品を陳列する陳列手段が、陳列対象商品の吊り下げ手段を設けることであることを特徴とする上記商品陳列具を提供するものである。
【００１６】
また、前記画像表示装置が、陳列対象商品を一部隠蔽するように陳列商品前面に設けてあることを特徴とする上記商品陳列具を提供するものである。
【００１７】
また、前記画像表示装置の表示と、隠蔽していない陳列対象商品とが連続した画像を形成していることを特徴とする上記商品陳列手段を提供するものである。
【００１８】
また、前記画像表示装置が、陳列対象商品の背景になる様に陳列商品背後に設けてあることを特徴とする上記商品陳列手段を提供するものである。
【００１９】
また、前記画像表示装置が陳列対象商品に関連した表示以外の表示に表示を変更する表示変更手段が商品陳列具内部に備わっていないことを特徴とする上記商品陳列手段を提供するものである。
【００２０】
また、前記画像表示装置が陳列対象商品に関連した表示以外の表示に表示を変更することを禁止する表示変更禁止手段が商品陳列具内部に備わっていることを特徴とする上記商品陳列手段を提供するものである。
【００２１】
この場合の陳列手段は、載置部を設けることにより実現しても、吊り下げ手段を設けることにより実現しても、その他ケースを設ける、網等の各種手段が使用できる。
【００２２】
その載置部である場合も、枠のない単なる陳列台であってもよいし、落下やはみだし防止のための枠がある棚形状であるものであってもかまわない。
【００２３】
また、このような陳列手段と画像表示装置は、直接連結しているものでも、他の部材を介して間接的に連結しているものでも構わない。また、その結合も固定的に結合しているものでも、出し入れ等の便宜のために相対的にスライド、もしくは回転、倒立などできる構造であっても構わない。
【００２４】
面画像表示装置は、面光源バックライト照明式、室内光照明式等照明光型のパッシブディスプレイ、又は自発光型のアクティブディスプレイのいずれであってもよく、通常は照明光式の液晶画像表示装置が適当であるが、場合によってはＣＲＴやプラズマディスプレイ等のアクティブディスプレイ類を使用することも可能である。
【００２５】
また形状は三角形、正方形、長方形等の四角形、その他多角形、円形、楕円形等の適宜形状でよいが、長方形又は正方形状が適当である。
【００２６】
また、一般に映像出力変換部も備えるものであり、一般的なテレビ受像機と同様に、映像信号入力部、映像信号を可視画像に変換するための映像信号増幅変換回路、色信号復調回路、Ｘ−Ｙ走査電極及び信号電極の駆動信号を発生させる画像走査マトリクス回路を備え、映像出力変換信号を単一または複数の画像表示装置に出力して、マトリクスパターン状のＸ−Ｙ画素を駆動走査して、文字画像、線画画像などの静止画像又は文字画像、線画画像、撮影画像等の動画像を可視出力するものである。
【００２７】
画像だけでなく、必要に応じて音声も必要な場合は、映像出力変換部に代えて、受信した映像信号・音声信号を画像と音声に変換するための出力動作信号に出力変換する変換部である映像・音声出力変換部とを備える構成でも構わない。
【００２８】
画像表示装置は、映像出力変換部とともに、１００Ｖ（ＡＣアダプタ付）電源を使用するようにしてもよいが、電池、蓄電池等の電源（図示せず）によって駆動させるようにしてもよい。
【００２９】
この場合の画像表示装置は、陳列手段の前面に設けても、後面に設けても構わないし、両方設けても構わない。前面に設ける場合、陳列された場合の陳列対象商品と並ぶなどにより連続した表示となる様にしても、一部隠蔽する様にしても構わない。一部隠蔽する場合も、左右方向上下方向どの部分を隠蔽することになっても構わないし、陳列対象商品を複数陳列可能な場合は、一部の陳列対象商品のみを隠蔽する構造でも構わない。
【００３０】
画像表示装置の画像は、陳列対象商品に関連した表示であることを必要とする。例えば一部隠蔽した画像の場合、隠蔽した陳列対象商品の隠蔽部分を補う画像となっており、あるいは擬似的に連続した画像になっており、あたかも陳列対象商品の一部が浮かび上がった様に錯覚させることにより注目を集める構成や、一部色換えした画像とすることにより注目を集める構成や、動画により陳列商品であったと思ったものが突如変化することにより注目を集める構成、もしくは使用方法などを表示することにより購買意欲を向上させる構成などどのようなものでもよい。また、前面と後面の両方に画像表示装置を設ける場合、前面の表示と後面の表示が連動することにより注目度が高くなる構成であってもよい。
【００３１】
何れにしても、陳列対象商品に限った画像であることが求められ、陳列対象商品以外の商品が陳列される等、想定外の使用がなされた場合、違和感があるようなものであればどのような画像でも構わない。
【００３２】
陳列対象商品以外に用いられることを防止したり、他の用途への転用を防止する手段として、静止画や動画にかかわらず画像を固定し一切変更できない方法も可能であるが、表示変更禁止手段を設けて、販売店が自由に変更できない構造であっても構わない。この場合、表示変更禁止解除手段は、物理的に回収したあとでないと変更できない構成でも構わないし、ネット等や通信を介して変更可能な構成でも構わない。また、解除キー方式等でも構わない。
【発明の効果】
【００３３】
本発明は商品陳列具が陳列スペースを確保し易く、また、一般需要者等に対して注目度を高めることができ、さらに、このような広告対象の商品の製造元・販売元・代理店等がその費用負担によって提供された画像表示装置を転用することを困難にしたり、盗難防止に役立てることが可能となる。
【図面の簡単な説明】
【００３４】
【図１】本発明の第一の実施形態である商品陳列具の斜視図である。
【図２】図１の本発明の第一の実施形態である商品陳列具に商品を陳列した状態を示す斜視図である。
【図３】本発明の第二の実施形態である商品陳列具の斜視図である。
【図４】図３の本発明の第二の実施形態である商品陳列具に商品を陳列した状態を示す斜視図である。
【図５】本発明の第三の実施形態である商品陳列具の斜視図である。
【図６】図５の本発明の第三の実施形態である商品陳列具に商品を陳列した状態を示す斜視図である。
【図７】本発明の第四の実施形態である商品陳列具の斜視図である。
【図８】図７の本発明の第四の実施形態である商品陳列具に商品を陳列した状態を示す斜視図である。
【図９】本発明の第五の実施形態である商品陳列具の斜視図である。
【図１０】図９の本発明の第五の実施形態である商品陳列具に商品を陳列した状態を示す斜視図である。
【発明を実施するための形態】
【００３５】
以下に、本発明の実施形態を、図面を参照しながら詳しく説明する。
【００３６】
（第一の実施形態）
以下、本発明の第一の実施形態に係る商品陳列具について、添付図面を参照しながら説明する。
【００３７】
図１は本発明の商品陳列具の第一の実施形態を示す斜視図である。
【００３８】
この商品陳列具は、陳列台１５と前面画像表示装置１１と後面画像表示装置１３とからなっている。
【００３９】
前面画像表示装置１１の前面表示画像１２は、陳列対象商品１６の下部と同一の画像を表示するものであり、あたかも陳列対象商品の下部のみが飛び出した様な錯覚を与える表示となっており、これにより注目を集める表示となっている。
【００４０】
対して、この陳列台１５上に別な商品を配列した場合は、統一性のない違和感を与える構成となっており、広告表示機能を発揮しないものである。
【００４１】
また、後面画像表示装置１３の後面表示画像１４は、その前面の陳列台１５上に陳列対象商品を配列してあることを前提とした販促表示となっており、これまた別な商品を陳列台１５に配列した場合は、統一性のない違和感を与える様な構成となっており、広告表示機能を発揮しないものである。
【００４２】
その結果、この商品陳列具が陳列対象商品以外の商品の展示に用いられることがなくなって、図２の様に陳列されることとなった。
【００４３】
なお、表示の変更は、秘密管理された送信信号により変更される構成になっている。
【００４４】
（第二の実施形態）
図３は本発明の商品陳列具の第一の実施形態を示す斜視図である。
【００４５】
本実施形態では、第一の実施形態とはことなり、この商品陳列具は、陳列台２５と後面画像表示装置２３とからなっている。
【００４６】
後面画像表示装置２３の後面表示画像２４は、その前面の陳列台２５上に陳列対象商品を配列してあることを前提とした販促表示となっており、これまた別な商品を陳列台２５に配列した場合は、統一性のない違和感を与える様な構成となっており、広告表示機能を発揮しないものである。
【００４７】
前面には値札である固定表示２７が設けられている。
【００４８】
その結果、この商品陳列具が陳列対象商品以外の商品の展示に用いられることがなくなって、図４の様に陳列されることとなった。
【００４９】
その他は第一の実施形態と同様である。
【００５０】
（第三の実施形態）
図５は本発明の商品陳列具の第１の実施形態を示す斜視図である。
【００５１】
本実施形態では、第一の実施形態とはことなり、この商品陳列具は、陳列台３５と前面画像表示装置３１とからなっている。
【００５２】
前面画像表示装置３１の前面表示画像３２は、陳列対象商品３６の下部と同一の画像を表示するものであり、あたかも陳列対象商品の下部のみが飛び出した様な錯覚を与える表示となっており、これにより注目を集める表示となっている。
【００５３】
別な商品を陳列台３５に配列した場合は、統一性のない違和感を与える様な構成となっており、広告表示機能を発揮しないものである。
【００５４】
その結果、この商品陳列具が陳列対象商品以外の商品の展示に用いられることがなくなって、図６の様に陳列されることとなった。
【００５５】
その他は第一の実施形態と同様である。
【００５６】
（第四の実施形態）
図７は本発明の商品陳列具の第四の実施形態を示す斜視図である。
【００５７】
この商品陳列具は、陳列台４５と前面画像表示装置４１と後面画像表示装置４３とからなっており、陳列対象商品を複数列配列できるようになっている。
【００５８】
前面画像表示装置４１の前面表示画像４２は、各々の陳列対象商品４６の下部と同一の画像を表示するものであり、あたかも各々の陳列対象商品の下部のみが飛び出した様な錯覚を与える表示となっており、これにより注目を集める表示となっている。
【００５９】
対して、この陳列台４５上に別な商品を配列した場合は、統一性のない違和感を与える構成となっており、広告表示機能を発揮しないものである。
【００６０】
また、後面画像表示装置４３の後面表示画像４４は、その前面の陳列台４５上に陳列対象商品を配列してあることを前提とした販促表示となっており、これまた別な商品を陳列台４５に配列した場合は、統一性のない違和感を与える様な構成となっており、広告表示機能を発揮しないものである。
【００６１】
その結果、この商品陳列具が陳列対象商品以外の商品の展示に用いられることがなくなって、図８の様に陳列されることとなった。
【００６２】
その他は第一の実施形態と同様である。
【００６３】
（第二の実施形態）
図９は本発明の商品陳列具の第五の実施形態を示す斜視図である。
【００６４】
本実施形態では、第一の実施形態とはことなり、この商品陳列具は、吊り具５５と後面画像表示装置５３とからなっている。
【００６５】
後面画像表示装置５３の後面表示画像５４は、その前面の陳列台２５上に陳列対象商品を配列してあることを前提とした販促表示となっており、これまた別な商品を吊り具５５に吊した場合は、統一性のない違和感を与える様な構成となっており、広告表示機能を発揮しないものである。
【００６６】
その結果、この商品陳列具が陳列対象商品以外の商品の展示に用いられることがなくなって、図１０の様に陳列されることとなった。
【００６７】
その他は第一の実施形態と同様である。
【産業上の利用可能性】
【００６８】
本願は、店頭等において商品等の陳列対象商品の広告表示等のサイネージを行なう商品陳列具に用いられる。
【符号の説明】
【００６９】
１１、３１、４１    前面画像表示装置
１２、３２、４２    前面表示画像
１３、２３、４３、５３    後面画像表示装置
１４、２４、４４、５４    後面表示画像
１５、２５、３５、４５    陳列台
１６、２６、３６、４６、５６    陳列対象商品
２７    固定表示
５５    吊り具
【図１】
2016144500.tif 000003
【図２】
2016144500.tif 000004
【図３】
2016144500.tif 000005
【図４】
2016144500.tif 000006
【図５】
2016144500.tif 000007
【図６】
2016144500.tif 000008
【図７】
2016144500.tif 000009
【図８】
2016144500.tif 000010
【図９】
2016144500.tif 000011
【図１０】
2016144500.tif 000012